(57)【特許請求の範囲】
【請求項１】
都市ごみを焼却する焼却炉から排出された排ガスをボイラ、エコノマイザ、減温塔及びバグフィルタの順に通して排ガスの熱回収、排ガスの温度調整及び排ガスの浄化処理を行い、また、ボイラで発生した蒸気を蒸気タービン及び発電機から成る発電設備に導いて発電すると共に、蒸気タービンから排出された排気蒸気を凝縮して得られた復水をボイラ給水として脱気器により加熱及び脱気処理してからエコノマイザ及びボイラへ供給するようにした都市ごみ焼却プラントの運転方法に於いて、脱気器を運転するに当たり、エコノマイザの出口側の排ガス温度を指標とし、エコノマイザの出口側の排ガス温度に基づいて脱気器の圧力を変化させてエコノマイザへ供給されるボイラ給水の温度を変動させる制御を行い、エコノマイザの出口側の排ガス温度を、従来の装置成り行きで決定される温度以上に変化させるようにし、更に減温塔で噴霧する減温水に都市ごみ焼却プラントから出る排水を処理した排水処理水を使用し、排水処理水の全部を減温塔で使用して排水処理水をプラント外へ排出しないようにした排水クローズド条件を採用したことを特徴とする都市ごみ焼却プラントの運転方法。
【請求項２】
請求項１に記載の都市ごみ焼却プラントの運転方法に於いて、エコノマイザの出口側の排ガス温度を温度検出器により常時検出し、エコノマイザの出口側の排ガス温度が所定の温度を下回る場合には、脱気器の設定圧力を上げてエコノマイザへ供給されるボイラ給水の温度を上昇させてエコノマイザでの熱交換量を小さくし、また、エコノマイザの出口側の排ガス温度が所定の温度を上回る場合には、脱気器の設定圧力を下げてエコノマイザへ供給されるボイラ給水の温度を低下させてエコノマイザでの熱交換量を大きくするようにしたことを特徴とする都市ごみ焼却プラントの運転方法。
【請求項３】
都市ごみを焼却する焼却炉から排出された排ガスをボイラ、エコノマイザ、減温塔及びバグフィルタの順に通して排ガスの熱回収、排ガスの温度調整及び排ガスの浄化処理を行い、また、ボイラで発生した蒸気を蒸気タービン及び発電機から成る発電設備に導いて発電すると共に、蒸気タービンから排出された排気蒸気を凝縮して得られた復水をボイラ給水として脱気器により加熱及び脱気処理してからエコノマイザ及びボイラへ供給するようにした都市ごみ焼却プラントの運転方法に於いて、脱気器を運転するに当たり、減温塔で使用する減温水量を指標とし、減温塔で使用する減温水量に基づいて脱気器の圧力制御を行ってエコノマイザへ供給されるボイラ給水の温度を制御し、エコノマイザの出口側の排ガス温度を、従来の装置成り行きで決定される温度以上に変化させるようにしたことを特徴とする都市ごみ焼却プラントの運転方法。
【請求項４】
請求項３に記載の都市ごみ焼却プラントの運転方法に於いて、減温塔で使用する減温水量が所定量を下回る場合には、脱気器の設定圧力を上げてエコノマイザへ供給されるボイラ給水の温度を上昇させてエコノマイザでの熱交換量を小さくし、また、減温塔で使用する減温水量が所定量を上回る場合には、脱気器の設定圧力を下げてエコノマイザへ供給されるボイラ給水の温度を低下させてエコノマイザでの熱交換量を大きくするようにしたことを特徴とする都市ごみ焼却プラントの運転方法。
【請求項５】
都市ごみを焼却する焼却炉から排出された排ガスをボイラ、エコノマイザ、減温塔及びバグフィルタの順に通して排ガスの熱回収、排ガスの温度調整及び排ガスの浄化処理を行い、また、ボイラで発生した蒸気を蒸気タービン及び発電機から成る発電設備に導いて発電すると共に、蒸気タービンから排出された排気蒸気を凝縮して得られた復水をボイラ給水として脱気器により加熱及び脱気処理した後、当該ボイラ給水を脱気器の出口側に設けた給水加熱器により温度制御してからエコノマイザ及びボイラへ供給するようにした都市ごみ焼却プラントの運転方法に於いて、給水加熱器を運転するに当たり、エコノマイザの出口側の排ガス温度を指標とし、エコノマイザの出口側の排ガス温度に基づいて給水加熱器の運転操作を行ってエコノマイザへ供給されるボイラ給水の温度を制御し、エコノマイザの出口側の排ガス温度を、従来の装置成り行きで決定される温度以上に変化させるようにしたことを特徴とする都市ごみ焼却プラントの運転方法。
【請求項６】
請求項５に記載の都市ごみ焼却プラントの運転方法に於いて、エコノマイザの出口側の排ガス温度を温度検出器により常時検出し、エコノマイザの出口側の排ガス温度が所定の温度を下回る場合には、給水加熱器の交換熱量を大きくしてエコノマイザへ供給されるボイラ給水の温度を上昇させてエコノマイザでの熱交換量を小さくし、また、エコノマイザの出口側の排ガス温度が所定の温度を上回る場合には、給水加熱器の交換熱量を小さく又はゼロとしてエコノマイザへ供給されるボイラ給水の温度を低下させてエコノマイザでの熱交換量を大きくするようにしたことを特徴とする都市ごみ焼却プラントの運転方法。
【請求項７】
都市ごみを焼却する焼却炉から排出された排ガスをボイラ、エコノマイザ、減温塔及びバグフィルタの順に通して排ガスの熱回収、排ガスの温度調整及び排ガスの浄化処理を行い、また、ボイラで発生した蒸気を蒸気タービン及び発電機から成る発電設備に導いて発電すると共に、蒸気タービンから排出された排気蒸気を凝縮して得られた復水をボイラ給水として脱気器により加熱及び脱気処理した後、当該ボイラ給水を脱気器の出口側に設けた給水加熱器により温度制御してからエコノマイザ及びボイラへ供給するようにした都市ごみ焼却プラントの運転方法に於いて、給水加熱器を運転するに当たり、減温塔で使用する減温水量を指標とし、減温塔で使用する減温水量に基づいて給水加熱器の運転操作を行ってエコノマイザへ供給されるボイラ給水の温度を制御し、エコノマイザの出口側の排ガス温度を、従来の装置成り行きで決定される温度以上に変化させるようにしたことを特徴とする都市ごみ焼却プラントの運転方法。
【請求項８】
請求項７に記載の都市ごみ焼却プラントの運転方法に於いて、減温塔で使用する減温水量が所定量を下回る場合には、給水加熱器の交換熱量を大きくしてエコノマイザへ供給されるボイラ給水の温度を上昇させてエコノマイザでの熱交換量を小さくし、また、減温塔で使用する減温水量が所定量を上回る場合には、給水加熱器の交換熱量を小さくしてエコノマイザへ供給されるボイラ給水の温度を低下させてエコノマイザでの熱交換量を大きくするようにしたことを特徴とする都市ごみ焼却プラントの運転方法。
【請求項９】
請求項３、請求項４、請求項５、請求項６、請求項７又は請求項８に記載の都市ごみ焼却プラントの運転方法に於いて、減温塔で噴霧する減温水に都市ごみ焼却プラントから出る排水を処理した排水処理水を使用し、排水処理水の全部を減温塔で使用して排水処理水をプラント外へ排出しないようにした排水クローズド条件を採用したことを特徴とする都市ごみ焼却プラントの運転方法。
【発明の詳細な説明】
【技術分野】
【０００１】
本発明は、家庭や事業所から出る紙類、厨芥類、繊維類、木・竹類、プラスチック類等の都市ごみを焼却する焼却炉から排出された排ガスをボイラ、エコノマイザ、減温塔及びバグフィルタの順に通して排ガスの熱回収、温度調整及び浄化処理を行い、また、ボイラで発生した蒸気を蒸気タービン及び発電機から成る発電設備に導いて発電すると共に、蒸気タービンから排出された排気蒸気を凝縮して得られた復水をボイラ給水として脱気器により加熱及び脱気処理してからエコノマイザ及びボイラへ供給するようにした都市ごみ焼却プラントの運転方法の改良に係り、エコノマイザの出口側の排ガス温度を、従来のバグフィルタ等の装置成り行きで決定される温度（例えば、排ガスのバグフィルタでの通ガス温度により決定される温度や減温塔での減温水の噴霧量により決定される温度）以上に変化させることによって、発電効率の向上を図れるようにすると共に、減温塔に於いて排ガスに必要な減温水量を噴霧しても、バグフィルタの入口に於ける排ガス温度を適切な温度に維持できるようにした都市ごみ焼却プラントの運転方法に関するものである。
【背景技術】
【０００２】
従来、都市ごみ焼却プラントとしては、例えば、特開２００４−３０９０７９号公報（特許文献１）や特開２００９−１６２４５２号公報（特許文献２）、特開２０１０−０４８４５６号公報（特許文献３）に開示されたものが知られている。
【０００３】
図３は従来の都市ごみ焼却プラントの一例を示すブロック図であり、当該都市ごみ焼却プラントは、焼却炉１００、ボイラ１０１、発電設備１０２、エコノマイザ１０３、減温塔１０４、バグフィルタ１０５及び煙突１０６等から構成されている。
【０００４】
前記都市ごみ焼却プラントに於いては、焼却炉１００から排出された高温の排ガスをボイラ１０１及びエコノマイザ１０３に導いて排ガスから熱回収すると共に、熱回収された排ガスを減温塔１０４に導いてここで温度調整してからバグフィルタ１０５に導き、バグフィルタ１０５で排ガス中の煤塵及び酸性ガス等を除去した後、クリーンになった排ガスを煙突１０６から大気中へ放出するようになっている。
また、ボイラ１０１で発生した蒸気を蒸気タービン及び発電機から成る発電設備１０２へ導いて発電するようになっている。
【０００５】
ところで、都市ごみ焼却プラントの計画・設計に於いては、排ガスの熱エネルギーをボイラ１０１及びエコノマイザ１０３でできる限り回収し、発電効率を高めるようにしている。
その際、例えば、バグフィルタ１０５での通ガス温度（例えば、１６０℃）によりエコノマイザ１０３の出口側の排ガス温度が決定されている。何故なら、バグフィルタ１０５は、その耐熱性の限界を考慮に入れる必要があると共に、酸性ガスの除去効率が高くなる温度域で使用されるからである。
【０００６】
また、都市ごみ焼却プラントに於いては、都市ごみの季節変動や経年変化等によるごみ質の変動要因が大きいため、都市ごみを燃焼時の発熱量から低質ごみ（発熱量の低いごみ）、高質ごみ（発熱量の高いごみ）、基準ごみ（低質ごみの発熱量と高質ごみの発熱量との中間の熱量を有するごみ）に分類し、これらを基に計画・設計が行われているのが通例である。
下記の表１は、都市ごみの各ごみ質に於けるエコノマイザ１０３の出口側の排ガス温度の一例を示すものである。
【０００７】
【表１】
0005787303.tif 000002
【０００８】
表１からも明らかなように、ごみ質によりエコノマイザ１０３の出口側の排ガス温度に差がある。通常、エコノマイザ１０３は、基準ごみで必要な熱回収を行えるようにその仕様が決定されているため、ボイラ１０１への入熱が多い高質ごみではエコノマイザ１０３出口のガス温度が高くなり、入熱の少ない低質ごみではエコノマイザ１０３出口のガス温度が低くなる。
【０００９】
更に、都市ごみ焼却プラントの計画・設計に於いては、プラントから出る排水（ごみピットからしみだして来るごみピット排水、焼却灰の冷却排水である灰出し排水、ボイラのブロー排水、プラントの洗浄排水等）をプラントに付設した排水処理設備で処理し、この排水処理水をプラント内で再利用し、プラント外へ排出しないようにする排水クローズド条件が要求される事例も多い。
このとき、排水処理水は、エコノマイザ１０３の出口側の排ガス温度をバグフィルタ１０５に通ガスできる温度にまで減温するための減温塔１０４の減温水に用いられている。
【００１０】
前記減温水の量には、排水クローズド条件により減温塔１０４内へ最小限噴霧しなくてはならない量がある。
そのため、都市ごみ焼却プラントに排水クローズド条件を採用した場合には、エコノマイザ１０３の出口側の排ガス温度が排水クローズド条件を採用しない場合と異なって来る。
【００１１】
即ち、都市ごみ焼却プラントに排水クローズド条件を採用した場合には、減温塔１０４で噴霧しなければならない噴霧水量があるので、エコノマイザ１０３の出口側の排ガス温度は、排水クローズド条件がない場合に比較して高くしなければならない。
下記の表２は、排水クローズド条件が付与された場合の都市ごみの各ごみ質に於けるエコノマイザ１０３の出口側の排ガス温度の一例を示すものである。
【００１２】
【表２】
0005787303.tif 000003
【００１３】
都市ごみ焼却プラントに排水クローズド条件を採用した場合、エコノマイザ１０３の設計は、排ガス量が少なく、且つ出口ガス温度が低くなる低質ごみでその仕様を決定する。即ち、低質ごみに於いて減温塔１０４での減温水量が必要噴霧水量となる排ガス温度にまで減温するエコノマイザ１０３の設計設備（出口ガス温度２１０℃）を行う。
このとき、基準ごみに於けるエコノマイザ１０３の出口側の排ガス温度は表２に示すように２２５℃と高くなっているので、排水処理水だけでは減温塔１０４に於いて２２５℃ある排ガスの温度をバグフィルタ１０５に通ガスできる温度にまで低下させることできない。
そのため、都市ごみ焼却プラントに排水クローズド条件を採用した場合、高質ごみ時及び基準ごみ時に減温塔１０４に於いて排水処理水だけでなく、新水も用いた排ガスの減温がなされている。
【００１４】
熱回収を図るためには、できれば発生頻度の高い基準ごみ時にエコノマイザ１０３の出口側の排ガス温度をできる限り下げたいが（例えば、２２０℃としたいが）、この場合、低質ごみ時にエコノマイザ１０３の出口側の排ガス温度が下がり過ぎ、減温塔１０４での減温水量が必要噴霧量を下回り、排水クローズド条件が達成できないという問題がある。
【００１５】
また、近年、都市ごみ焼却プラントに於いては、更なる温暖化対策推進を目的とし、ごみの燃焼に伴い生じるエネルギーのより一層の有効利用を図るため、ごみ発電の高効率化が求められている。
ごみ発電を高効率に行うためには、エコノマイザ１０３の出口側の排ガス温度を低下させてボイラ１０１、エコノマイザ１０３からの排ガスの持ち出し熱量を少なくし、ボイラ１０１での吸収熱量を多くする必要がある。
【００１６】
このように、排水クローズド条件を達成するためには、エコノマイザ１０３の出口側の排ガス温度をある程度高くする必要があるのに対して、ごみ発電の高効率化のためには、エコノマイザ１０３の出口側の排ガス温度を低くしなければならず、矛盾する問題が生じることになる。
【００１７】
このような、問題を解決するため、従来に於いては下記の（１）及び（２）の方法が採られている。
（１）プラントから出る排水の発生量を低減させ、減温塔で使用する減温水量そのものを低下させる。
（２）エコノマイザに通ガスする排ガスの一部をバイパスさせてエコノマイザと減温塔との間に導き、排水クローズドの律速条件となる低質ごみ時の排ガス温度の低下を防ぎ、所定の減温水量を確保する（エコバイパス）。
【００１８】
しかし、上述した（１）の方法については、排水の発生量を抑制しても、その効果には限度があり、エコノマイザで十分に熱回収を行えるほどの減温水量の削減につながらないのが現状である。
また、（２）の方法については、ごみ質に応じてエコノマイザとバイパスルートの通ガス量を操作し、エコノマイザの出口側の排ガス温度を所定の温度にするものであるが、バイパスルートの設備を新たに追加する必要がある他、バイパスルートを形成するダクトの低温腐食を防ぐためにバイパスルートに常に排ガスの一部を通ガスするか、或いはヒータ等の機器を追加する必要があり、適切なエコノマイザの設計が困難となる。
【先行技術文献】
【特許文献】
【００１９】
【特許文献１】特開２００４−３０９０７９号公報
【特許文献２】特開２００９−１６２４５２号公報
【特許文献３】特開２０１０−０４８４５６号公報
【発明の概要】
【発明が解決しようとする課題】
【００２０】
本発明は、このような問題点に鑑みて為されたものであり、その目的は、エコノマイザから排出される排ガスの温度を、エコノマイザ、減温塔、バグフィルタ等の設計ポイント（例えば、低質ごみ時）で設計した装置に於いて、他のごみ質（例えば、基準ごみ時）がその成り行きで決定される温度以上に変化させ、発電効率の向上を図れるようにすると共に、減温塔に於いて排水クローズド条件の達成に必要な減温水量を噴霧しても、バグフィルタの入口に於ける排ガスの温度を適切な温度に維持できるようにした都市ごみ焼却プラントの運転方法を提供することにある。
【課題を解決するための手段】
【００２１】
上記目的を達成するために、本発明の請求項１の発明は、都市ごみを焼却する焼却炉から排出された排ガスをボイラ、エコノマイザ、減温塔及びバグフィルタの順に通して排ガスの熱回収、排ガスの温度調整及び排ガスの浄化処理を行い、また、ボイラで発生した蒸気を蒸気タービン及び発電機から成る発電設備に導いて発電すると共に、蒸気タービンから排出された排気蒸気を凝縮して得られた復水をボイラ給水として脱気器により加熱及び脱気処理してからエコノマイザ及びボイラへ供給するようにした都市ごみ焼却プラントの運転方法に於いて、脱気器を運転するに当たり、エコノマイザの出口側の排ガス温度を指標とし、エコノマイザの出口側の排ガス温度に基づいて脱気器の圧力を変化させてエコノマイザへ供給されるボイラ給水の温度を変動させる制御を行い、エコノマイザの出口側の排ガス温度を、従来の装置成り行きで決定される温度以上に変化させるようにし、更に減温塔で噴霧する減温水に都市ごみ焼却プラントから出る排水を処理した排水処理水を使用し、排水処理水の全部を減温塔で使用して排水処理水をプラント外へ排出しないようにした排水クローズド条件を採用したことに特徴がある。
【００２２】
本発明の請求項２の発明は、請求項１の発明に於いて、エコノマイザの出口側の排ガス温度を温度検出器により常時検出し、エコノマイザの出口側の排ガス温度が所定の温度を下回る場合には、脱気器の設定圧力を上げてエコノマイザへ供給されるボイラ給水の温度を上昇させてエコノマイザでの熱交換量を小さくし、また、エコノマイザの出口側の排ガス温度が所定の温度を上回る場合には、脱気器の設定圧力を下げてエコノマイザへ供給されるボイラ給水の温度を低下させてエコノマイザでの熱交換量を大きくするようにしたことに特徴がある。
【００２３】
本発明の請求項３の発明は、都市ごみを焼却する焼却炉から排出された排ガスをボイラ、エコノマイザ、減温塔及びバグフィルタの順に通して排ガスの熱回収、排ガスの温度調整及び排ガスの浄化処理を行い、また、ボイラで発生した蒸気を蒸気タービン及び発電機から成る発電設備に導いて発電すると共に、蒸気タービンから排出された排気蒸気を凝縮して得られた復水をボイラ給水として脱気器により加熱及び脱気処理してからエコノマイザ及びボイラへ供給するようにした都市ごみ焼却プラントの運転方法に於いて、脱気器を運転するに当たり、減温塔で使用する減温水量を指標とし、減温塔で使用する減温水量に基づいて脱気器の圧力制御を行ってエコノマイザへ供給されるボイラ給水の温度を制御し、エコノマイザの出口側の排ガス温度を、従来の装置成り行きで決定される温度以上に変化させるようにしたことに特徴がある。
【００２４】
本発明の請求項４の発明は、請求項３の発明に於いて、減温塔で使用する減温水量が所定量を下回る場合には、脱気器の設定圧力を上げてエコノマイザへ供給されるボイラ給水の温度を上昇させてエコノマイザでの熱交換量を小さくし、また、減温塔で使用する減温水量が所定量を上回る場合には、脱気器の設定圧力を下げてエコノマイザへ供給されるボイラ給水の温度を低下させてエコノマイザでの熱交換量を大きくするようにしたことに特徴がある。
【００２５】
本発明の請求項５の発明は、都市ごみを焼却する焼却炉から排出された排ガスをボイラ、エコノマイザ、減温塔及びバグフィルタの順に通して排ガスの熱回収、排ガスの温度調整及び排ガスの浄化処理を行い、また、ボイラで発生した蒸気を蒸気タービン及び発電機から成る発電設備に導いて発電すると共に、蒸気タービンから排出された排気蒸気を凝縮して得られた復水をボイラ給水として脱気器により加熱及び脱気処理した後、当該ボイラ給水を脱気器の出口側に設けた給水加熱器により温度制御してからエコノマイザ及びボイラへ供給するようにした都市ごみ焼却プラントの運転方法に於いて、給水加熱器を運転するに当たり、エコノマイザの出口側の排ガス温度を指標とし、エコノマイザの出口側の排ガス温度に基づいて給水加熱器の運転操作を行ってエコノマイザへ供給されるボイラ給水の温度を制御し、エコノマイザの出口側の排ガス温度を、従来の装置成り行きで決定される温度以上に変化させるようにしたことに特徴がある。
【００２６】
本発明の請求項６の発明は、請求項５の発明に於いて、エコノマイザの出口側の排ガス温度を温度検出器により常時検出し、エコノマイザの出口側の排ガス温度が所定の温度を下回る場合には、給水加熱器の交換熱量を大きくしてエコノマイザへ供給されるボイラ給水の温度を上昇させてエコノマイザでの熱交換量を小さくし、また、エコノマイザの出口側の排ガス温度が所定の温度を上回る場合には、給水加熱器の交換熱量を小さく又はゼロとしてエコノマイザへ供給されるボイラ給水の温度を低下させてエコノマイザでの熱交換量を大きくするようにしたことに特徴がある。
【００２７】
本発明の請求項７の発明は、都市ごみを焼却する焼却炉から排出された排ガスをボイラ、エコノマイザ、減温塔及びバグフィルタの順に通して排ガスの熱回収、排ガスの温度調整及び排ガスの浄化処理を行い、また、ボイラで発生した蒸気を蒸気タービン及び発電機から成る発電設備に導いて発電すると共に、蒸気タービンから排出された排気蒸気を凝縮して得られた復水をボイラ給水として脱気器により加熱及び脱気処理した後、当該ボイラ給水を脱気器の出口側に設けた給水加熱器により温度制御してからエコノマイザ及びボイラへ供給するようにした都市ごみ焼却プラントの運転方法に於いて、給水加熱器を運転するに当たり、減温塔で使用する減温水量を指標とし、減温塔で使用する減温水量に基づいて給水加熱器の運転操作を行ってエコノマイザへ供給されるボイラ給水の温度を制御し、エコノマイザの出口側の排ガス温度を、従来の装置成り行きで決定される温度以上に変化させるようにしたことに特徴がある。
【００２８】
本発明の請求項８の発明は、請求項７の発明に於いて、減温塔で使用する減温水量が所定量を下回る場合には、給水加熱器の交換熱量を大きくしてエコノマイザへ供給されるボイラ給水の温度を上昇させてエコノマイザでの熱交換量を小さくし、また、減温塔で使用する減温水量が所定量を上回る場合には、給水加熱器の交換熱量を小さくしてエコノマイザへ供給されるボイラ給水の温度を低下させてエコノマイザでの熱交換量を大きくするようにしたことに特徴がある。
【００２９】
本発明の請求項９の発明は、請求項３、請求項４、請求項５、請求項６、請求項７又は請求項８の発明に於いて、減温塔で噴霧する減温水に都市ごみ焼却プラントから出る排水を処理した排水処理水を使用し、排水処理水の全部を減温塔で使用して排水処理水をプラント外へ排出しないようにした排水クローズド条件を採用したことに特徴がある。
【発明の効果】
【００３０】
本発明の請求項１の発明は、焼却炉、ボイラ、エコノマイザ、減温塔、バグフィルタ、発電設備及び脱気器等を備えた都市ごみ焼却プラントの運転方法に於いて、脱気器を運転するに当たり、エコノマイザの出口側の排ガス温度を指標とし、エコノマイザの出口側の排ガス温度に基づいて脱気器の圧力制御を行ってエコノマイザへ供給されるボイラ給水の温度を制御し、エコノマイザの出口側の排ガス温度を、従来の装置成り行きで決定される温度以上に変化させるようにしているため、例えば、都市ごみの低質ごみで必要なエコノマイザの出口側の排ガス温度を決定し、都市ごみの基準ごみ時に従来の装置成り行きで決定されるエコノマイザの出口側の排ガス温度よりも、エコノマイザの出口側の排ガス温度を下げることによって、発電効率の向上を図ることができる。
【００３１】
本発明の請求項２の発明は、エコノマイザの出口側の排ガス温度を温度検出器により常時検出し、エコノマイザの出口側の排ガス温度が所定の温度を下回る場合には、脱気器の圧力を上げてエコノマイザへ供給されるボイラ給水の温度を上昇させ、エコノマイザでの熱交換量を小さくしているため、減温塔に於いて排ガスに必要な減温水量を噴霧しても、排ガスの温度をバグフィルタでの必要なガス温度を下回らないようにすることができ、また、エコノマイザの出口側の排ガス温度が所定の温度を上回る場合には、脱気器の圧力を下げてエコノマイザへ供給されるボイラ給水の温度を低下させ、エコノマイザでの熱交換量を大きくするようにしているため、発電量を向上させることができる。
【００３２】
本発明の請求項３の発明は、焼却炉、ボイラ、エコノマイザ、減温塔、バグフィルタ、発電設備及び脱気器等を備えた都市ごみ焼却プラントの運転方法に於いて、脱気器を運転するに当たり、減温塔で使用する減温水量を指標とし、減温塔で使用する減温水量に基づいて脱気器の圧力制御を行ってエコノマイザへ供給されるボイラ給水の温度を制御し、エコノマイザの出口側の排ガス温度を、従来の装置成り行きで決定される温度以上に変化させるようにしているため、請求項１の発明と同様に発電効率の向上を図ることができる。
【００３３】
本発明の請求項４の発明は、減温塔で使用する減温水量が所定量を下回る場合には、脱気器の圧力を上げてエコノマイザへ供給されるボイラ給水の温度を上昇させ、エコノマイザでの熱交換量を小さくしているため、請求項２の発明と同様に減温塔に於いて排ガスに必要な減温水量を噴霧しても、排ガスの温度をバグフィルタでの必要なガス温度を下回らないようにすることができ、また、減温塔で使用する減温水量が所定量を上回る場合には、脱気器の圧力を下げてエコノマイザへ供給されるボイラ給水の温度を低下させ、エコノマイザでの熱交換量を大きくするようにしているため、発電量を向上させることができる。
【００３４】
本発明の請求項５の発明は、焼却炉、ボイラ、エコノマイザ、減温塔、バグフィルタ、発電設備、脱気器及び給水加熱器等を備えた都市ごみ焼却プラントの運転方法に於いて、給水加熱器を運転するに当たり、エコノマイザの出口側の排ガス温度を指標とし、エコノマイザの出口側の排ガス温度に基づいて給水加熱器の運転操作を行ってエコノマイザへ供給されるボイラ給水の温度を制御し、エコノマイザの出口側の排ガス温度を、従来の装置成り行きで決定される温度以上に変化させるようにしているため、請求項１の発明と同様に発電効率の向上を図ることができる。
【００３５】
本発明の請求項６の発明は、エコノマイザの出口側の排ガス温度を温度検出器により常時検出し、エコノマイザの出口側の排ガス温度が所定の温度を下回る場合には、給水加熱器の交換熱量を大きくしてエコノマイザへ供給されるボイラ給水の温度を上昇させてエコノマイザでの熱交換量を小さくしているため、減温塔に於いて排ガスに必要な減温水量を噴霧しても、排ガスの温度をバグフィルタでの必要なガス温度を下回らないようにすることができ、また、エコノマイザの出口側の排ガス温度が所定の温度を上回る場合には、給水加熱器の交換熱量を小さく又はゼロとしてエコノマイザへ供給されるボイラ給水の温度を低下させてエコノマイザでの熱交換量を大きくするようにしているため、発電量を向上させることができる。
【００３６】
本発明の請求項７の発明は、焼却炉、ボイラ、エコノマイザ、減温塔、バグフィルタ、発電設備、脱気器及び給水加熱器等を備えた都市ごみ焼却プラントの運転方法に於いて、給水加熱器を運転するに当たり、減温塔で使用する減温水量を指標とし、減温塔で使用する減温水量に基づいて給水加熱器の運転操作を行ってエコノマイザへ供給されるボイラ給水の温度を制御し、エコノマイザの出口側の排ガス温度を、従来の装置成り行きで決定される温度以上に変化させるようにしているため、請求項１の発明と同様に発電効率の向上を図ることができる。
【００３７】
本発明の請求項８の発明は、減温塔で使用する減温水量が所定量を下回る場合には、給水加熱器の交換熱量を大きくしてエコノマイザへ供給されるボイラ給水の温度を上昇させてエコノマイザでの熱交換量を小さくしているため、減温塔に於いて排ガスに必要な減温水量を噴霧しても、排ガスの温度をバグフィルタでの必要なガス温度を下回らないようにすることができ、また、減温塔で使用する減温水量が所定量を上回る場合には、給水加熱器の交換熱量を小さくしてエコノマイザへ供給されるボイラ給水の温度を低下させてエコノマイザでの熱交換量を大きくするようにしているため、発電量を向上させることができる。
【００３８】
本発明の請求項９の発明は、排水処理水の全てを減温塔での減温水として使用する排水クローズド条件を採用しているため、基準ごみ時、高質ごみ時に減温塔での減温水量が排水処理水量を上回ってその不足分を新水補給する必要がある場合、基準ごみ時、高質ごみ時に脱気器の圧力を下げることによって、又は給水加熱器の交換熱量を小さくすることによって、減温水量を減少させることができ、その結果、新水補給水量を減少させることができると共に、請求項１の発明と同様に発電効率を向上させることができる。
【図面の簡単な説明】
【００３９】
【図１】本発明の方法を実施する都市ごみ焼却プラントの一例を示す概略系統図である。
【図２】本発明の他の方法を実施する都市ごみ焼却プラントの一例を示すブロック図である。
【図３】従来の都市ごみ焼却プラントの一例を示すブロック図である。
【発明を実施するための形態】
【００４０】
以下、本発明の実施の形態を図面に基づいて詳細に説明する。
図１は本発明の方法を実施する都市ごみ焼却プラントの一例を示す概略系統図を示し、当該都市ごみ焼却プラントは、家庭や事業所から出る都市ごみを焼却する焼却炉１（例えば、ストーカ式焼却炉）と、焼却炉１で発生した高温の排ガスＧから熱を回収するボイラ２と、ボイラ２から排出された排ガスＧの熱を更に回収するエコノマイザ３と、エコノマイザ３を通過した排ガスＧに減温水（排水処理水）を噴霧して排ガスＧを冷却する減温塔４と、排ガスＧ中の煤塵及び酸性ガスを除去するバグフィルタ５と、焼却炉１内の排ガスＧを誘引する誘引通風機７と、クリーンになった排ガスＧを大気中へ放出する煙突８と、ボイラ２で発生した蒸気を過熱する過熱器９と、過熱器９からの過熱蒸気Ｓにより駆動されて発電する蒸気タービン１０ａ及び発電機１０ｂから成る発電設備１０と、蒸気タービン１０ａから排出された排気蒸気Ｓ′を復水する復水器１１と、復水器１１からの復水を貯留する復水タンク１２と、復水タンク１２からの復水を加熱及び脱気処理してエコノマイザ３及びボイラ２へボイラ給水Ｗとして供給する脱気器１３等から構成されており、脱気器１３を運転するに当たり、エコノマイザ３の出口側の排ガスＧ温度を指標とし、エコノマイザ３の出口側の排ガスＧ温度に基づいて脱気器１３の圧力制御を行ってエコノマイザ３へ供給されるボイラ給水Ｗの温度を制御し、エコノマイザ３の出口側の排ガスＧ温度を、従来のバグフィルタ５等の装置成り行きで決定される温度（例えば、排ガスＧのバグフィルタ５での通ガス温度により決定される温度や減温塔での減温水の噴霧量により決定される温度）以上に変化させ、発電量の向上等を図るようにしたものである。
【００４１】
即ち、前記都市ごみ焼却プラントは、エコノマイザ３の出口側の排ガスＧ温度を常時検出する温度検出器１４と、蒸気タービン１０ａからの抽気蒸気Ｓ″（又は図示していないが蒸気タービン１０ａへ供給される過熱蒸気Ｓの一部を引き抜いた蒸気）を脱気器１３へ供給する蒸気供給管１５と、蒸気供給管１５に介設され、脱気器１３へ供給される抽気蒸気Ｓ″（又は過熱蒸気Ｓの一部を引き抜いた蒸気）の供給量を制御する蒸気量制御弁１６と、脱気器１３内の圧力を検出し、その検出信号と温度検出器１４からの検出信号に基づいて蒸気量制御弁１６を制御して脱気器１３の圧力を制御する圧力制御器１７とを備えており、エコノマイザ３の出口側の排ガスＧ温度を温度検出器１４により常時検出し、エコノマイザ３の出口の排ガスＧ温度に基づいて脱気器１３の圧力制御を行い、当該脱気器１３の圧力制御によりエコノマイザ３へ供給されるボイラ給水Ｗの温度を制御し、エコノマイザ３の出口側の排ガスＧ温度を制御するようにしている。
尚、脱気器１３は、飽和温度で運転されているので、脱気器１３の圧力を制御することによって、ボイラ給水Ｗの温度を制御することができる。
【００４２】
前記都市ごみ焼却プラントは、プラントから出る排水をプラントに付設した排水処理設備（図示省略）で処理し、この排水処理水をエコノマイザ３の出口側の排ガスＧ温度をバグフィルタ５に通ガスできる温度にまで減温するための減温塔４の減温水として再利用し、排水処理水をプラント外へ排出しないようにした排水クローズド条件を採用しても良く、或いは、排水処理水を減温水として減温塔４で必要量だけ使用し、残りの排水処理水をプラント外へ排出するようにしても良い。
【００４３】
尚、図１に於いて、１８は押込送風機、１９は空気予熱器、２０は二次空気送風機、２１はバーナ、２２は灰押出装置、２３は蒸発管群、２４は減温水噴射ノズル、２５は飛灰固化装置、２６はアキュムレータ（高圧蒸気溜め）、２７は脱気器給水ポンプ、２８はボイラ給水ポンプである。
【００４４】
而して、上述した都市ごみ焼却プラントによれば、焼却炉１内で発生した高温の排ガスＧは、ボイラ２及びエコノマイザ３へ導かれてボイラ２及びエコノマイザ３により順次熱回収され、引き続き減温塔４に送られてここで減温水（排水処理水）の噴霧によりバグフィルタ５の濾布材の耐熱温度までその温度が引き下げられる。
【００４５】
減温塔４内で温度が引き下げられた排ガスＧは、バグフィルタ５に導かれてここで排ガスＧ中の煤塵及び酸性ガスが除去された後、クリーンな排ガスＧとなって誘引通風機７を経て煙突８から大気中へ放出されている。
【００４６】
一方、ボイラ２で発生した蒸気は、過熱器９により過熱され、過熱蒸気Ｓとなって蒸気タービン１０ａ及び発電機１０ｂから成る発電設備１０へ供給されて蒸気タービン１０ａ及び発電機１０ｂを駆動して発電させると共に、蒸気タービン１０ａから排出されて復水器１１で復水された後、復水タンク１２に貯留される。
尚、復水タンク１２には、図示していないが、不純物が除去された補給水が供給されている。
【００４７】
また、復水タンク１２に貯留された復水は、ボイラ２へのボイラ給水Ｗとして脱気器給水ポンプ２７により脱気器１３に供給され、ここで蒸気タービン１０ａからの抽気蒸気Ｓ″（又は蒸気タービン１０ａへ供給される過熱蒸気Ｓの一部を引き抜いた蒸気）により加熱及び脱気処理されてからボイラ給水ポンプ２８によりエコノマイザ３及びボイラ２へ供給されるようになっている。
【００４８】
そして、前記都市ごみ焼却プラントの運転に於いては、エコノマイザ３の出口側の排ガスＧ温度が温度検出器１４により常時検出されており、脱気器１３を運転するに当たり、エコノマイザ３の出口側の排ガスＧ温度を指標とし、エコノマイザ３の出口側の排ガスＧ温度に基づいて脱気器１３の圧力制御を行ってエコノマイザ３へ供給されるボイラ給水Ｗの温度を制御し、エコノマイザ３の出口側の排ガスＧ温度を、従来のバグフィルタ５等の装置成り行きで決定される温度以上に変化させ、発電量の向上等を図るようにしたものである。
【００４９】
即ち、前記都市ごみ焼却プラントの運転に於いては、エコノマイザ３の出口側の排ガスＧ温度を温度検出器１４により常時検出し、エコノマイザ３の出口側の排ガスＧ温度が所定の温度（仕様を決定したエコノマイザ３の出口側の排ガスＧ温度）を下回る場合、脱気器１３の設定圧力を上げてボイラ給水Ｗの温度を上昇させ、エコノマイザ３の熱交換に於ける対数平均温度差を低くする。
これにより、エコノマイザ３での熱交換量が小さくなり、エコノマイザ３の出口側の排ガスＧ温度を上昇させることができる。
その結果、減温塔４内で排ガスＧに所定の減温水量を噴霧しても、排ガスＧの温度をバグフィルタ５での必要なガス温度を下回らないようにすることができる。
【００５０】
また、エコノマイザ３の出口側の排ガスＧ温度が所定の温度（仕様を決定したエコノマイザ３の出口側の排ガスＧ温度）を上回る場合、脱気器１３の設定圧力を下げてボイラ給水Ｗ温度を低下させ、エコノマイザ３の熱交換に於ける対数平均温度差を高くする。
これにより、排ガスＧの熱がより多く回収されて発電出力を向上させることができる。
【００５１】
下記の表３は従来の運転方法により都市ごみ焼却プラントを運転した場合の高質ごみ時及び基準ごみ時に於けるエコノマイザ３の出口側の排ガスＧ温度、ボイラ２の蒸発量等を示すものである。
即ち、下記の表３は低質ごみ時にエコノマイザ３の出口側の排ガスＧ温度が２１０℃となるようにエコノマイザ３を設計し、脱気器１３の圧力を０．２９ＭＰａに固定した条件下で都市ごみ焼却プラントを運転した場合の高質ごみ時及び基準ごみ時に於けるエコノマイザ３の出口側の排ガスＧ温度、ボイラ２の蒸発量等を示すものである。
但し、蒸発量、減温水量、バグフィルタ５の入口側ガス量、発電量は、従来時を全て１００としたものである。
【００５２】
【表３】
0005787303.tif 000004
【００５３】
実際、一日当たりの都市ごみの処理量が１００ｔｏｎの焼却炉１を２炉備えた都市ごみ焼却プラントの場合、脱気器１３の圧力を０．２９ＭＰａ（変化なし）とし、基準ごみ時のエコノマイザ３の出口側の排ガスＧ温度を排水クローズド条件なしのときに２００℃、排水クローズド条件ありのときに２２５℃とすると、減温塔４での減温水量は排水クローズド条件なしのときに１日当たり２４ｔｏｎ、排水クローズド条件ありのときに一日当たり１６ｔｏｎとなり、また、排水放流量は排水クローズド条件なしのときに１日当たり８ｔｏｎ、排水クローズド条件ありのときに一日当たり０ｔｏｎとなり、更に、発電量は排水クローズド条件なしのときに４５００ｋＷ、排水クローズド条件ありのときに４４００ｋＷとなっている。
【００５４】
また、下記の表４は本発明の運転方法により都市ごみ焼却プラントを運転した場合の高質ごみ時及び基準ごみ時に於けるエコノマイザ３の出口側の排ガスＧ温度、ボイラ蒸発量等を示すものであり、脱気器１３の圧力を低質ごみ時には０．２９ＭＰａと現状のままとし、高質ごみ時及び基準ごみ時に脱気器１３の圧力を０．１７ＭＰａにまで圧力を下げたものである。
【００５５】
【表４】
0005787303.tif 000005
【００５６】
表４からも明らかなように、脱気器１３の圧力を低質ごみ時には現状のままとし、高質ごみ時及び基準ごみ時に脱気器１３の圧力を０．１７ＭＰａにまで圧力を下げることで、エコノマイザ３への給水温度が従来の１４３℃から１３０℃に低下し、エコノマイザ３での対数平均温度差が大きくなって交換熱量が増加することになる。
【００５７】
その結果、本発明の運転方法に於いては、高質ごみ時及び基準ごみ時にエコノマイザ３の出口側の排ガスＧ温度が低下し、蒸発量及び発電量が増加すると共に、減温水量及び排ガスＧ量が減少することが判る。
尚、本発明の運転方法は、排水クローズド条件の有無にかかわらず、上述した効果が得られる。
【００５８】
また、排水クローズド条件を採用した場合、通常高質ごみ時及び基準ごみ時の減温塔４での減温水量は、排水処理水量よりも多くなり、不足分は新水補給されているが、本発明の運転方法によれば、脱気器１３の圧力を下げることで、表４に示すように減温塔４での減温水量を従来よりも減少させることができるため、新水補給水量を減少させることができる。
更に、本発明の運転方法によれば、表４に示すようにバグフィルタ５の入口ガス量が僅かに少なくなるため、排ガス処理設備の設備規模を小さくすることができる。
【００５９】
このように、上述した都市ごみ焼却プラントの運転方法に於いては、エコノマイザ３の出口側の排ガスＧ温度を、従来の装置成り行きで決定される温度以上に変化させることによって、発電効率の向上を図れると共に、減温塔４に於いて必要な減温水量を噴霧しても、バグフィルタ５の入口に於ける排ガスＧの温度を適切な温度に維持することができる。
【００６０】
尚、上述した都市ごみ焼却プラントの運転方法に於いては、高質ごみ時及び基準ごみ時に脱気器１３の圧力を下げるようにしたが、他の運転方法に於いては、ごみ発生頻度の高い基準ごみ時に高い発電出力を得るシステムとするために、基準ごみ時に脱気器１３の圧力を下げ（例えば、０１７ＭＰａ）、高質ごみ時及び低質ごみ時に脱気器１３の圧力を上げ（例えば、０．２９ＭＰａ）、成り行き値以上にエコノマイザ３の出口側の排ガスＧ温度を高くする運転を行っても良い。
【００６１】
この場合、基準ごみ時に高い発電出力を得ることができると共に、高質ごみ時に於いてボイラ２の吸収熱量が抑えられ、蒸気タービン１０ａ等の蒸気系の機器の仕様を過大になり過ぎないように設計することができ、且つ低質ごみ時に必要なエコノマイザ３の出口側の排ガスＧ温度を実現することができる。
【００６２】
また、上述した都市ごみ焼却プラントの運転方法に於いては、脱気器１３の運転指標をエコノマイザ３の出口側の排ガスＧ温度としたが、他の運転方法に於いては、減温塔４での減温水量を指標とした脱気器１３の圧力操作を行っても良い。このとき、バグフィルタ５入口側の排ガスＧ温度が一定になるように制御する。
【００６３】
例えば、減温塔４で使用する減温水量が所定量を下回る場合には、脱気器１３の圧力を上げてエコノマイザ３へ供給されるボイラ給水Ｗの温度を上昇させ、エコノマイザ３での熱交換量を小さくする。
これにより、減温塔４に於いて排ガスＧに必要な減温水量を噴霧しても、排ガスＧの温度をバグフィルタ５での必要なガス温度を下回らないようにすることができる。
【００６４】
反対に減温塔４で使用する減温水量が所定量を上回る場合には、脱気器１３の圧力を下げてエコノマイザ３へ供給されるボイラ給水Ｗの温度を低下させ、エコノマイザ３での熱交換量を大きくする。
これにより、エコノマイザ３の出口側の排ガスＧ温度が低下し、発電量を向上させることができる。
【００６５】
また、上述した都市ごみ焼却プラントの運転方法に於いては、エコノマイザ３の出口側の排ガスＧ温度又は減温塔４で使用する減温水量に基づいて脱気器１３の圧力制御を行ってエコノマイザ３へ供給されるボイラ給水Ｗの温度を制御し、エコノマイザ３の出口側の排ガスＧ温度を変化させるようにしたが、他の運転方法に於いては、エコノマイザ３へ供給されるボイラ給水Ｗの温度を脱気器１３の出口側に設けた給水加熱器６により制御し、エコノマイザ３の出口側の排ガスＧ温度を変化させるようにしても良い。
例えば、脱気器１３の圧力を０．１３ＭＰａ（このときの脱気器１３出口のボイラ給水Ｗ温度は１３０℃）とし、エコノマイザ３へ供給されるボイラ給水Ｗの温度を１３０℃としたいときには、給水加熱器６での交換熱量をゼロ（加熱側の流入を止めることでボイラ給水Ｗ温度の上昇を防ぐ）とし、エコノマイザ３へ供給されるボイラ給水Ｗ温度を１４３℃としたいときには、給水加熱器６で加温するようにしても良い。
【００６６】
即ち、上述した方法を実施する都市ごみ焼却プラントは、図２に示す如く、都市ごみを焼却する焼却炉１と、焼却炉１で発生した高温の排ガスＧから熱を回収するボイラ２と、ボイラ２から排出された排ガスＧの熱を更に回収するエコノマイザ３と、エコノマイザ３を通過した排ガスＧに減温水（排水処理水）を噴霧して排ガスＧを冷却する減温塔４と、排ガスＧ中の煤塵及び酸性ガスを除去するバグフィルタ５と、焼却炉１内の排ガスＧを誘引する誘引通風機７と、クリーンになった排ガスＧを大気中へ放出する煙突８と、ボイラ２からの蒸気により駆動されて発電する蒸気タービン１０ａ及び発電機１０ｂから成る発電設備１０と、蒸気タービン１０ａから排出された排気蒸気Ｓ′を復水する復水器（図２では図示省略）と、復水器からの復水を貯留する復水タンク（図２では図示省略）と、復水タンクからの復水を加熱及び脱気処理してエコノマイザ３及びボイラ２へボイラ給水Ｗとして供給する脱気器１３と、脱気器１３とエコノマイザ３との間に設けられて脱気器１３からエコノマイザ３へ供給されるボイラ給水Ｗの温度を制御する給水加熱器６等から構成されており、前記給水加熱器６を運転するに当たり、エコノマイザ３の出口側の排ガスＧ温度を指標とし、エコノマイザ３の出口側の排ガスＧ温度に基づいて給水加熱器６の運転操作を行ってエコノマイザ３へ供給されるボイラ給水Ｗの温度を制御し、エコノマイザ３の出口側の排ガスＧ温度を、従来の装置成り行きで決定される温度以上に変化させ、発電量の向上等を図るようにしたものである。
尚、給水加熱器６には、蒸気タービン１０ａからの抽気蒸気Ｓ″を用いてボイラ給水Ｗを加温するようにした構造の給水加熱器や還流エコノマイザ等が使用されている。
【００６７】
上述した都市ごみ焼却プラントの運転に於いては、エコノマイザ３の出口側の排ガスＧ温度を温度検出器（図２では図示省略）により常時検出し、エコノマイザ３の出口側の排ガスＧ温度が所定の温度を下回る場合、給水加熱器６が自動制御されて給水加熱器６の交換熱量を大きくし、エコノマイザ３へ供給されるボイラ給水Ｗの温度を上昇させ、エコノマイザ３の熱交換に於ける対数平均温度差を低くする。このとき、脱気器１３は、圧力を固定した状態で運転されている。
これにより、エコノマイザ３での熱交換量が小さくなり、エコノマイザ３の出口側の排ガスＧ温度を上昇させることができる。
その結果、減温塔４内で排ガスＧに所定の減温水量を噴霧しても、排ガスＧの温度をバグフィルタ５での必要なガス温度を下回らないようにすることができる。
【００６８】
また、エコノマイザ３の出口側の排ガスＧ温度が所定の温度を上回る場合、給水加熱器６が自動制御されて給水加熱器６の交換熱量を小さく又はゼロとし、エコノマイザ３へ供給されるボイラ給水Ｗの温度を低下させ、エコノマイザ３の熱交換に於ける対数平均温度差を高くする。このとき、脱気器１３は、圧力を固定した状態で運転されている。
これにより、排ガスＧの熱がより多く回収されて発電出力を向上させることができる。
【００６９】
尚、上述した都市ごみ焼却プラントの運転方法に於いては、給水加熱器６の運転指標をエコノマイザ３の出口側の排ガスＧ温度としたが、他の運転方法に於いては、減温塔４での減温水量を指標とした給水加熱器６の運転操作を行っても良い。このとき、バグフィルタ５入口側の排ガスＧ温度が一定になるように制御する。
【００７０】
例えば、減温塔４で使用する減温水量が所定量を下回る場合には、給水加熱器６の交換熱量を大きくしてエコノマイザ３へ供給されるボイラ給水Ｗの温度を上昇させ、エコノマイザ３での熱交換量を小さくする。
これにより、減温塔４に於いて排ガスＧに必要な減温水量を噴霧しても、排ガスＧの温度をバグフィルタ５での必要なガス温度を下回らないようにすることができる。
【００７１】
反対に減温塔４で使用する減温水量が所定量を上回る場合には、給水加熱器６の交換熱量を小さくしてエコノマイザ３へ供給されるボイラ給水Ｗの温度を低下させ、エコノマイザ３での熱交換量を大きくする。
これにより、エコノマイザ３の出口側の排ガスＧ温度が低下し、発電量を向上させることができる。
【００７２】
尚、上述した都市ごみ焼却プラントの各運転方法に於いては、脱気器１３及び給水加熱器６の運転指標をエコノマイザ３の出口側の排ガスＧ温度又は減温塔４での減温水量としたが、他の運転方法に於いては、エコノマイザ３の出口側の排ガスＧ温度が推定される他の指標、例えば、ボイラ蒸発量、ごみ量、ごみ質等を用いた脱気器１３の圧力操作や給水加熱器６の運転操作を行うようにしても良い。
【符号の説明】
【００７３】
１は焼却炉、２はボイラ、３はエコノマイザ、４は減温塔、５はバグフィルタ、６は給水加熱器、１０は発電設備、１０ａは蒸気タービン、１０ｂは発電機、１３は脱気器、１４は温度検出器、Ｓは過熱蒸気、Ｓ′は排気蒸気、Ｗはボイラ給水。
【図１】
0005787303.tif 000006
【図２】
0005787303.tif 000007
【図３】
0005787303.tif 000008